(57)【要約】【課題】  印刷データに電子透かし情報を埋めこむ際に、ユーザーに違和感を持たせず、しかも正確な読み取りを行えるようにすることを目的とする。【解決手段】  原稿のコピー／送信を行う際に、印刷された原稿に埋め込まれた利用制限情報を読み取り、この利用制限情報に従ってコピー／送信処理を行うシステムにおいて、受信した印刷データの属性を電子すかし情報に変換する手段と、受信した印刷画像に前記変換した電子すかし情報を埋め込むための１ないし複数の位置を決定する手段と、前記決定された位置に電子すかし情報を埋め込む手段とを備え、受信した印刷データの属性を印刷物の１ないし複数の場所に埋め込み印刷するようにしている。【選択図】      図１
2005109719.tif 000002
【特許請求の範囲】
【請求項１】
データ受信手段と、印刷手段と、原稿読み取り手段と、電子的に読み取った原稿情報を一つまたは複数の出力手段に出力する手段とを備え、原稿のコピー／送信を行う際、印刷された原稿に埋め込まれた利用制限情報を読み取り、この利用制限情報に従いコピー／送信処理を行うシステムにおいて、
受信した印刷データの属性を電子すかし情報に変換する手段と、
受信した印刷画像に上記電子すかし情報を埋め込む１ないし複数の位置を決定する手段と、
前記決定された位置に上記電子すかし情報を埋め込む手段とを備え、
前記受信した印刷データの属性を、印刷物の１ないし複数の場所に埋め込み印刷することを特徴とするデータ印刷システム。
【発明の詳細な説明】
【技術分野】
【０００１】
この発明は、原稿のコピー／送信を行う際、印刷された原稿に埋め込まれた利用制限情報を読み取り、この制限情報に従いコピー／送信処理を行うシステムで利用される、原稿の印刷に関するものである。
【背景技術】
【０００２】
オフィスで扱われる文書が、パーソナルコンピュータを用いて作成されることが多くなるのにしたがって、文書のオリジナルは印刷物ではなく、ＰＣ上の電子データということが一般的になってきた。
【０００３】
このような場合、オリジナルの電子データには、閲覧、編集可能なユーザーを制限する等、アクセス制限をかけることが行われている。しかしながら、オリジナルデータを紙に印刷する際、アクセス制限等の文書情報は失われてしまう。
【０００４】
これを解決するために、昨今、バーコードや電子透かしといった技術を用い、印刷物に文書情報を埋めこみ、これを読み出すことで文書情報に従った処理をすることが行われている。
【発明の開示】
【発明が解決しようとする課題】
【０００５】
しかしながら、印刷時や印刷時後の汚れにより、埋め込まれた文書情報が正しく読み取られず、結果的に正しい処理を行うことが出来ないことがあった。
また、バーコードや可視の電子透かしは、埋めこむ場所によっては印刷物に違和感を生じさせることがあった
【課題を解決するための手段】
【０００６】
このような問題を解決するため本発明は、データ受信手段と、印刷手段と、原稿読み取り手段と、電子的に読み取った原稿情報を一つまたは複数の出力手段に出力する手段とを備え、原稿のコピー／送信を行う際、印刷された原稿に埋め込まれた利用制限情報を読み取り、この利用制限情報に従いコピー／送信処理を行うシステムにおいて、受信した印刷データの属性を電子すかし情報に変換する手段と、受信した印刷画像に上記電子すかし情報を埋め込む１ないし複数の位置を決定する手段と、前記決定された位置に上記電子すかし情報を埋め込む手段とを備え、前記受信した印刷データの属性を、印刷物の１ないし複数の場所に埋め込み印刷することを特徴とする。
【発明の効果】
【０００７】
本発明によれば、データ受信手段と、印刷手段と、原稿読み取り手段と、電子的に読み取った原稿情報を一つまたは複数の出力手段に出力する手段とを備え、原稿のコピー／送信を行う際、印刷された原稿に埋め込まれた利用制限情報を読み取り、この利用制限情報に従いコピー／送信処理を行うシステムにおいて、受信した印刷データの属性を電子すかし情報に変換する手段と、受信した印刷画像に上記電子すかし情報を埋め込む１ないし複数の位置を決定する手段と、前記決定された位置に上記電子すかし情報を埋め込む手段とを備え、前記受信した印刷データの属性を、印刷物の１ないし複数の場所に埋め込み印刷するようにし、また、印刷物に受信した印刷データの属性を埋めこむ手段は、バーコードであることとし、また、用紙の両面に印刷する手段を設け、印刷物に受信した印刷データの属性を埋めこむ場所は、印刷物の裏面としたことにより、前記印刷物に埋め込まれた文書情報が、印刷後の汚れ、読み取り時の不良等により正しく読み込まれず、文書情報を正しく反映した処理が行われなくなるということを少なくすることが出来る。
【発明を実施するための最良の形態】
【０００８】
（第１の実施の形態）
以下、図面を参照して詳細に説明する。
図１は、本実施の形態が適用される複合機器のブロック図を示したものである。
【０００９】
この複合機器は、画像形成部101、制御部102、フィニッシャー103、スキャナ部104、操作部105、複数の受信インターフェース106、複数の送信インターフェース107から構成され、それぞれ専用インターフェースで制御部102に接続されており、E-mail送受信、ネットワークファイル送信、Fax送受信が可能である。また、制御部102は、中央処理装置108と、記憶装置109、カードリーダ110とから、その主要部が構成されている。
【００１０】
図２は、本実施の形態の複合機器において、印刷された原稿が読み取られ、送信される処理を表した流れ図である。
まず、スキャナ部104にセットされた原稿を読み込み(ステップＳ201)、中央処理装置108で、読み込んだ原稿がステップＳ201でセットされた現行の一枚目か否か判定する(ステップＳ202)。
【００１１】
ステップＳ202での判定がYesならば、中央処理装置108で、読み込んだ原稿の画像データ中から文書情報を検索し(ステップＳ203)、中央処理装置108で、原稿に埋め込まれた文書情報があるか否か判定する(ステップＳ204)。ステップＳ204の判定がYesならば、検出された位置から文書情報を読み取る(ステップＳ205)。
【００１２】
続いて、中央処理装置108で、ユーザーが指定した文書の宛先と、ステップＳ205で読み取られた文書情報を比較し(ステップＳ206)、中央処理装置108で、文書情報で許可された宛先か否か判定する(ステップＳ207)。ステップＳ207の判定がYesならば、原稿の送信先をユーザーが設定した宛先に設定し(ステップＳ208)、読み取った画像データをメモリ109に蓄積する(ステップＳ209)。
【００１３】
なお、ステップＳ202の判定がNoだった場合、処理はステップＳ209に、ステップＳ204での判定がNoだった場合、処理はステップＳ208に移る。ステップＳ207の判定がNoならば、メモリ109に不許可宛先に対する処理要求がなされた旨を履歴に残し(ステップＳ213)、処理は終了する。
【００１４】
続いて、中央処理装置108で、スキャナ部104にセットされた原稿の最終ページまで読み込んだか否か判定し(ステップＳ210)、ステップＳ210の判定がYesならば、ステップＳ208で設定された送信宛先に、ステップＳ209で蓄積された画像データを送信し(ステップＳ211)、メモリ109に送信履歴を残し(ステップＳ212)、処理は終了する。ステップＳ210の判定がNoならば、処理はステップＳ201に戻る。
【００１５】
図３は、本実施の形態において、複数箇所に電子透かし情報を埋めこむ処理を表した流れ図である。
まず、受信インターフェース106を介して、印刷指示された文書の文書情報を取得し(ステップＳ301)、中央処理装置108で、この受信情報を埋めこむ箇所を決定する(ステップＳ302)。
【００１６】
続いて、中央処理装置108で、印刷対象ページが、文書の先頭ページか否か判定し(ステップＳ303)、ステップＳ303の判定がYesならば、受信インターフェース106を介し、印刷すべき文書の文書データを、メモリ109に受信し(ステップＳ304)、中央処理装置108で、ステップＳ302で決定した埋め込み位置までの文書データを受信したか否か判定する(ステップＳ305)。
【００１７】
ステップＳ305での判定がYesならば、中央処理装置108で、ステップＳ301で取得した文書情報を反映する電子透かし情報を作成し(ステップＳ306)、メモリ109に受信した、文書データに、ステップＳ306で作成した電子透かし情報を埋めこむ(ステップＳ307)。
ステップＳ305での判定がNoならば、引き続きステップＳ304の処理を行う。
【００１８】
ステップＳ307の処理の後、中央処理装置108で、ステップＳ302で決定したすべての箇所に、ステップＳ306で作成した電子透かし情報を埋め込んだか否か判定し(ステップＳ308)、ステップＳ308の判定がYesならば画像形成部101で、メモリ109上の電子透かし情報を埋め込まれた先頭ページを印刷し(ステップＳ309)、ステップＳ308での判定がNoならば、処理はステップＳ304に戻る。
【００１９】
また、ステップＳ303での判定がNoである場合、２ページ目以降については、受信インターフェース106を介して１ページ分の文書データをメモリ109上に受信し(ステップＳ311)、これを画像形成部101で印刷する(ステップＳ309)。
【００２０】
ステップＳ309の処理後、中央処理装置108で、印刷指示されたすべてのページを印刷したか否か判定し(ステップＳ310)、ステップＳ310の判定がYesならば処理は終了し、Noならば処理はステップＳ303に戻る。
【００２１】
図４は、原稿に埋め込まれている文書情報の例である。
図５は、複数の電子透かし情報が埋め込まれた原稿の例である。
【００２２】
（第２の実施の形態）
図６は、電子透かし情報を、原稿の裏面に印刷する処理を表した流れ図である。
まず、受信インターフェース106を介して、印刷指示された文書の文書情報を取得し(ステップＳ601)、中央処理装置108で、この受信情報を埋めこむ箇所を決定する(ステップＳ602)。
【００２３】
続いて、受信インターフェース106を介して１ページ分の文書データをメモリ109上に受信し(ステップＳ603)、これを画像形成部101で印刷する(ステップＳ604)。
【００２４】
続いて、中央処理装置108で、ステップＳ604で印刷したページが先頭ページか否か判定し(ステップＳ605)、ステップＳ605の判定がYesならば、中央処理装置108で、指示された印刷設定が両面印刷であったか否か判定する(ステップＳ606)。
【００２５】
ステップＳ606の判定がYesならば、中央処理装置108で、ステップＳ601で取得した文書情報を反映する電子透かし情報を作成し(ステップＳ607)、これをメモリ109に展開し、画像形成部101で、ステップＳ604で印刷した用紙の裏面に印刷する(ステップＳ608)。ステップＳ606の判定がNoならば、先頭ページの印刷設定を両面印刷とし(ステップＳ610)、処理はステップＳ607に移る。
【００２６】
ステップＳ608の処理後、中央処理装置108で、印刷指示されたすべてのページを印刷したか否か判定し(ステップＳ609)、ステップＳ609の判定がYesならば処理は終了し、Noならば処理はステップＳ603に戻る。
【００２７】
また、ステップＳ605の判定がNoであった場合、処理はステップＳ609に移る。
以下に本発明の特徴を付記する。
【００２８】
（附記１）  データ受信手段と、印刷手段と、原稿読み取り手段と、電子的に読み取った原稿情報を一つまたは複数の出力手段に出力する手段とを備え、原稿のコピー／送信を行う際、印刷された原稿に埋め込まれた利用制限情報を読み取り、この利用制限情報に従いコピー／送信処理を行うシステムにおいて、
受信した印刷データの属性を電子すかし情報に変換する手段と、
受信した印刷画像に上記電子すかし情報を埋め込む１ないし複数の位置を決定する手段と、
前記決定された位置に上記電子すかし情報を埋め込む手段とを備え、
前記受信した印刷データの属性を、印刷物の１ないし複数の場所に埋め込み印刷することを特徴とするデータ印刷システム。
【００２９】
（附記２）  前記受信した印刷データの属性を前記印刷物に埋めこむ手段は、バーコードであることを特徴とする附記１に記載のデータ印刷システム。
【００３０】
（附記３）  前記受信した印刷データの属性を前記印刷物に埋めこむ手段は、電子透かし、バーコード等、複数の手段で生成した情報を前記複数の場所に埋め込むことを特徴とする附記１に記載のデータ印刷システム。
【００３１】
（附記４）  用紙の両面に印刷する手段を備え、前記印刷物に受信した印刷データの属性を埋めこむ場所は、前記印刷物の裏面であることを特徴とする附記１〜３の何れか１つに記載のデータ印刷システム。
【図面の簡単な説明】
【００３２】
【図１】本発明のデータ印刷システムにおける複合機器のブロック図である。
【図２】本発明のデータ印刷システムにおいて、読み込んだ原稿に埋め込まれた文書情報を参照し、送信する処理を表した流れ図である。
【図３】本発明のデータ印刷システムにおいて、複数箇所に電子透かし情報を埋めこむ処理を表した流れ図である。
【図４】原稿に埋め込まれている文書情報の例を示した図である。
【図５】複数の電子透かし情報が埋め込まれた原稿の例を示した図である。
【図６】原稿の裏面に電子透かし情報を印刷する処理を表した流れ図である。
【符号の説明】
【００３３】
１０１  画像形成部
１０２  制御部
１０３  フィニッシャー
１０４  スキャナ部
１０５  操作部
１０６  受信インターフェース
１０７  送信インターフェース
１０８  中央処理装置
１０９  記憶装置
１１０  カードリーダ
【図１】
2005109719.tif 000003
【図２】
2005109719.tif 000004
【図３】
2005109719.tif 000005
【図４】
2005109719.tif 000006
【図５】
2005109719.tif 000007
【図６】
2005109719.tif 000008